(57)【特許請求の範囲】
【請求項１】
表示部を有する本体部と、
前記本体部を支持し該本体部の背面略中央部に配したヒンジ部を介して回動可能に取り付けられた支持部と、を備える電子機器であって、
前記本体部に収容される部品であって、前記本体部を薄型化していくと最初に収容できなくなる薄型化阻害部品を前記本体部の略中央部に配し、前記本体部の背面側のうち前記薄型化阻害部品が配される前記本体部の略中央部に対応する領域を前記本体部の背面側の他の領域よりも突出した突出領域とし、前記本体部を背面側の所定の方向から見たときに前記突出領域が見えなくなるように前記支持部が配されることを特徴とする電子機器。
【請求項２】
前記薄型化阻害部品を少なくとも前記ヒンジ部が配された前記本体部の背面略中央部より下方に配することを特徴とする請求項１記載の電子機器。
【請求項３】
前記本体部に収容される部品であって前記薄型化阻害部品以外の薄型化寄与部品を前記薄型化阻害部品が配された前記本体部の略中央下部以外に配することを特徴とする請求項１又は２記載の電子機器。
【請求項４】
前記薄型化阻害部品を前記本体部の略中央下部に配することを特徴とする請求項１から３の何れか１項に記載の電子機器。
【請求項５】
前記薄型化阻害部品を前記本体部から脱着する機構を設けたことを特徴とする請求項１から４の何れか１項に記載の電子機器。
【請求項６】
前記支持部を前記本体部から脱着する機構を設けたことを特徴とする請求項１から５の何れか１項に記載の電子機器。
【請求項７】
前記薄型化阻害部品は、少なくとも大容量記憶装置であることを特徴とする請求項１から６の何れか１項に記載の電子機器。
【発明の詳細な説明】
【技術分野】
【０００１】
本発明は、本体部の薄型化を図る電子機器に関する。
【背景技術】
【０００２】
近年、液晶ディスプレイとパーソナルコンピュータ（以下「ＰＣ」という。）本体を一体にした所謂一体型ＰＣが知られている。一体型ＰＣは、ディスプレイと本体が分離した従来のいわゆるセパレート型に比べ、設置場所をとらないというメリットがある。
【０００３】
このような一体型ＰＣに関し、特許文献１には、配置スペースの省スペース化を実現可能とするために、本体部の下部に支持部を設け、支持部を本体部を支持するためだけでなく、キーボードを収納するためにも用いることができる情報処理装置が開示されている（図６参照）。
【先行技術文献】
【特許文献】
【０００４】
【特許文献１】特開２０１０−６１２１９号公報
【発明の概要】
【発明が解決しようとする課題】
【０００５】
特許文献１に開示された情報処理装置は、キーボードを収納するスペースを支持部に設けることで配置スペースの省スペース化を図るものであるが、本体部筐体自体は、その内部にマザーボード、ハードディスク（以下「ＨＤＤ」という。）、及び電源ユニット等を内蔵していることから、液晶ディスプレイ単体と比べて厚肉であり見た目のスタイリッシュ感に欠ける。
【０００６】
本発明は、このような実情に鑑みてなされたものであって、筐体自体の薄型化を図り、見た目スタイリッシュな電子機器を提供することを目的とする。
【課題を解決するための手段】
【０００７】
上記の課題を解決するため、本発明の電子機器は、表示部を有する本体部と、本体部を支持し該本体部の背面略中央部に配したヒンジ部を介して回動可能に取り付けられた支持部と、を備える電子機器であって、本体部に収容される部品であって、本体部を薄型化していくと最初に収容できなくなる薄型化阻害部品を本体部の略中央部に配し、本体部の背面側のうち薄型化阻害部品が配される本体部の略中央部に対応する領域を本体部の背面側の他の領域よりも突出した突出領域とし、本体部を背面側の所定の方向から見たときに突出領域が見えなくなるように支持部が配されることを特徴とする。
【発明の効果】
【０００８】
本発明によれば、筐体自体の薄型化を図り、見た目のスタイリッシュ化を実現することができる。
【図面の簡単な説明】
【０００９】
【図１】本発明の実施形態における一体型ＰＣの概略図である。
【図２】本発明の実施形態における一体型ＰＣのＨＤＤとヒンジ部の配置関係を示す概略図である。
【図３】本発明の実施形態における変形例としてのＨＤＤの脱着機構について説明する模式図である。
【図４】本発明の実施形態における変形例としての自立スタンドの脱着機構について説明する模式図である。
【図５】本発明の実施形態における変形例について説明する模式図である。
【図６】従来の一体型ＰＣを示す斜視図である。
【発明を実施するための形態】
【００１０】
本発明の実施形態の電子機器について図面を用いて以下説明する。なお、各図中、同一又は相当する部分には同一の符号を付しており、その重複説明は適宜に簡略化乃至省略する。本発明の実施形態の電子機器として、以下一体型ＰＣを例に説明するが、本発明は一体型ＰＣに限定されず、テレビジョン等のフラットパネルディスプレイに適用されるものである。
【００１１】
本実施形態の一体型ＰＣの概略構成について図１を参照して説明する。本実施形態の一体型ＰＣ１は、液晶パネル等を採用したフラットパネルディスプレイを搭載し、その背面にＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を搭載したマザーボードや、大容量記憶装置としてのＨＤＤ、テレビ放送受信のためのＴＶボード、等を内蔵する。本実施形態の一体型ＰＣ１は、表示部としてのディスプレイ１１を有する。
【００１２】
また、図１（ｂ）に示すように、本実施形態の一体型ＰＣ１は、本体部１０の背面略中央部に本体部１０を支持する支持部としての自立スタンド１２を背面略中央部に配したヒンジ部１３を介して回動可能に取り付けている。自立スタンド１２と本体部１０の底面を支点とすることで、ディスプレイ１１がユーザーに見やすい角度になるように本体部１０が自立する。
【００１３】
本実施形態の一体型ＰＣは、本体部１０に収容される部品であって、本体部１０を薄型化していくと最初に収容できなくなる薄型化阻害部品としての例えばＨＤＤを本体部１０の略中央下部に配する。薄型化阻害部品としては、ＨＤＤの他に、例えばＴＶボード、ＤＶＤ（Ｄｉｇｉｔａｌ  Ｖｅｒｓａｔｉｌｅ  Ｄｉｓｋ）等を記録媒体としたディスクドライブユニット等がある。ＨＤＤ等の薄型化阻害部品は、マザーボードやＲＡＭ等では容易な小型化や薄型化が困難であるという現状があるため、薄型化阻害部品を搭載した部分に対応する本体部の厚みはその分膨らんで肉厚となってしまう。本体部にこのような肉厚部が生じると、全体として薄型化コンセプトを阻害し、意匠的に見栄えの悪いものとなってしまう。なお、『本体部１０を薄型化していくと最初に収容できなくなる』には、例えば、本体部１０を均一に薄型化していくと最初に収容できなくなること等が含まれる。
【００１４】
そして、本実施形態の一体型ＰＣにおいては、本体部１０の背面側のうちＨＤＤが配される本体部１０の略中央下部に対応する領域を本体部１０の背面側の他の領域よりも突出した突出領域Ｔとする。そして、本体部１０を背面側の所定の方向から見たときに突出領域Ｔが見えなくなるように自立スタンド１２が配される。『所定の方向から見た』とは、本実施形態で言えば、例えば本体部１０の背面側を後ろ方向から見た場合をいう。つまり、本実施形態における上記構成によれば、自立スタンド１２が突出領域Ｔを隠蔽するように立ちはだかるので、突出領域Ｔが見えなくなるとともに、目立たなくなる。なお、『所定の方向から見たときに突出領域Ｔが見えなくなるように』にするために、例えば、突出領域Ｔが全部隠れているように自立スタンド１２を配してもよい。
【００１５】
上記のように、自立スタンド１２が突出領域Ｔを隠蔽するように立ちはだかり、突出領域Ｔが見えなくなるとともに、目立たなくなることで、全体として薄型化コンセプトを阻害せず、視覚的にスタイリッシュな印象をユーザーに与えることができる。
【００１６】
なお、本実施形態においては、本体部１０に収容される部品であってＨＤＤ等の薄型化阻害部品以外の薄型化寄与部品としての上述したマザーボードやＲＡＭ等を、ＨＤＤ等の薄型化阻害部品が配された本体部１０の略中央下部以外に配することとする。これにより、本体部１０全体の薄型化を図ることができる。
【００１７】
また、ＨＤＤ等の他部品と比較して重量のある部品を本体部１０の下方に配することで、一体型ＰＣ全体としての配置の安定化を図ることができる。
【００１８】
次に、本実施形態におけるヒンジ部１３のヒンジ１３１とＨＤＤ５０の配置関係について図２を参照して説明する。図１、図２（ａ）に示すように、ＨＤＤ５０は、本体部１０の略中央下部に配され、ＨＤＤ５０によって膨らんだ突出領域Ｔを隠蔽するように自立スタンド１２が立ちはだかる。自立スタンド１２は、本体部１０の背面略中央部に配したヒンジ部１３を介して回動可能に取り付けられている。
【００１９】
本実施形態では、図２（ａ）の破線円形で囲んだ部分Ａを拡大した図２（ｂ）に示すように、ＨＤＤ５０をヒンジ部１３のヒンジ機構１３１が配された部分より下方に配する。ヒンジ部１３をＨＤＤ５０が配されて膨らんだ突出領域Ｔに重ねて配すれば、突出領域Ｔの厚みに加えてヒンジ部分だけさらに肉厚となってしまうから、これを防止するためである。
【００２０】
次に、本実施形態の変形例に係るＨＤＤ５１の脱着機構について図３を参照して説明する。近年、ＨＤＤ等は内蔵されることが多いが、本体部の薄型化を図るためＨＤＤ５１等の薄型化阻害部品を本体部のＨＤＤ搭載部Ｂから脱着可能な構成としてもよい。また、本体部の薄型化を図るためＨＤＤ等の薄型化阻害部品を初めから外付け部品としてもよい。
【００２１】
次に、本実施形態の変形例に係る自立スタンド１２１の脱着機構について図４を参照して説明する。上述したような脱着可能なＨＤＤ５１を本体部から脱着する上で、自立スタンドがあると、ＨＤＤ５１の脱着がやり難い。そのため、本変形例では、図４（ｂ）に示すように、本体部から脱着可能な自立スタンド１２１を設ける。これにより、自立スタンド１２１は本体部から脱着可能となり、ＨＤＤ５１の脱着が容易になる。
【００２２】
次に、本実施形態の変形例について図５を参照して説明する。図５（ａ）は、本体部の長手方向に対して垂直に、つまり、短手方向の本体部側面と平行に、本体部上下中央部にＨＤＤ等の薄型化阻害部品を配する部分５２（以下「部分５２」という。）を設ける。上述した本実施形態においては、本体部１０の中央下部に限定してＨＤＤ５０を配しているが、本変形例のように本体部上下中央部にわたってＨＤＤを配する部分５２を設けることで、ＨＤＤ以外のＴＶボードのような薄型化阻害部品も配することができ、部品配置設計の自由度が高まる。そして、本体部上方に設けたヒンジ部１３２を介して、部分５２を隠蔽するように立ちはだかる自立スタンド１２２を設ける。これにより、ＨＤＤ等の薄型化阻害部品を配する部分５２を設けることで膨らんだ本体部上下中央部が見えなくなるとともに、この部分を目立たなくすることができる。
【００２３】
図５（ｂ）は、上記同様に、本体部上下中央にＨＤＤ等の薄型化阻害部品を配する部分５３を設ける。本変形例では、本体部の側面から見て、薄型化阻害部品を配する部分５３（以下「部分５３」という。）を設けることで生じた本体部上下中央部の膨らみ（肉厚部）が目立たないように、部分５３の長手方向における両側側面部Ｃに自立スタンド１２３ａ、１２３ｂを設ける。各自立スタンドは両側側面部Ｃに配したヒンジ部を介して本体部に回動可能に取り付けられることとしてよい。自立スタンド１２３ａ、１２３ｂは例えば板状で、部分５３を隠蔽するように立ちはだかるため、例えば本変形例では図示のように変形逆さ台形状としている。なお、本変形例のように構成することでも、肉厚部となった部分５３の厚みが見えなくなるとともに、目立たなくなるため、薄型化のコンセプトを阻害せず、視覚的にスタイリッシュな印象をユーザーに与えることができる。なお、本変形例における『所定の方向から見たときに突出領域が見えなくなる』における『所定の方向』は、本体部１０を側面方向から見たときの、その側面方向をいう。
【００２４】
図５（ｃ）は、本体部の下部にＨＤＤ等の薄型化阻害部品を配する部分５４（以下「部分５４」という。）を設ける。そして、本変形例では、本体部の左右方向の中央部に、つまり本体部の長手方向における上下端面に平行に設けたヒンジ部１３３を介して、部分５４を隠蔽するように立ちはだかる自立スタンド１２４を設ける。本変形例の自立スタンド１２４は、部分５４を隠蔽するように立ちはだかるため、例えば本体部の長手方向の上下端面の長さと同一の長さで略長方形状の構成をとる。これにより、部分５４が自立スタンド１２４に隠蔽するように立ちはだかり、肉厚部となった部分５４の厚みが見えなくなるとともに、目立たなくなるため、薄型化のコンセプトを阻害せず、視覚的にスタイリッシュな印象をユーザーに与えることができる。また、本変形例によれば、ＨＤＤ以外の薄型化阻害部品を本体部の下方に配することで、上述した本実施形態よりさらに一体型ＰＣ全体としての配置の安定化を図ることができる。
【００２５】
なお、上述する各実施の形態は、本発明の好適な実施の形態であり、本発明の要旨を逸脱しない範囲内において種々変更実施が可能である。例えば、本実施形態では、一体型ＰＣを例にとり説明してきたが、本発明は一体型ＰＣに限定されず、例えば、デジタルフォトフレームや持ち運び可能なカーナビゲーションシステム等にも適用することができる。
【符号の説明】
【００２６】
１    一体型ＰＣ
１０    本体部
１１    ディスプレイ
１２、１２１、１２２、１２３ａ、１２３ｂ、１２４    自立スタンド
１３、１３２、１３３    ヒンジ部
５０、５１    ＨＤＤ
５２、５３、５４    薄型化阻害部品を配する部分
１３１    ヒンジ機構
Ｂ    ＨＤＤ搭載部
Ｃ    両側側面部
【図１】
0005863834.tif 000002
【図２】
0005863834.tif 000003
【図３】
0005863834.tif 000004
【図４】
0005863834.tif 000005
【図５】
0005863834.tif 000006
【図６】
0005863834.tif 000007